(57)【特許請求の範囲】
【請求項１】
保安帽着用者の顔面を覆うための面体と、該面体の両側から後方へ延出する支腕と、該支腕をその後端部において回動可能に軸支し前記保安帽下縁部をその内外面から挟持可能な取付け手段とからなる保安帽用の保護面であって、
前記取付け手段に互いに対向する内外壁を設け、該外壁に外側から締付けボルトを螺挿して前記内壁と前記ボルトとによって前記保安帽を挟持可能につくり、前記ボルトと同一軸心で回動する歯車部を前記支腕に設け、前記歯車部を前記外壁の外側に接合したハウジングの内側に納めて前記ハウジングにその内側から摺動可能に接するようにするとともに、前記締付けボルトを前記ハウジングの外側に延出させ、かつ前記歯車部を前記取付け手段側のバネ付勢下の咬合手段に係合させることにより、前記歯車部のピッチに対応して開閉する前記面体をそのピッチ毎に静止可能にしてあることを特徴とする前記保護面。
【請求項２】
前記支腕を前記ボルトで回動可能に軸支してある請求項１記載の保護面。
【請求項３】
前記歯車部を前記咬合手段とともに被覆保護してある請求項１記載の保護面。
【請求項４】
前記歯車部に前記支腕を所要方向へ向けて取付け可能にする位置決め手段を併設してある請求項１記載の保護面。
【発明の詳細な説明】
【０００１】
【産業上の利用分野】
この発明は、保安帽に取付けて使用する防災面や耐熱面等の保護面に関する。
【０００２】
【従来の技術】
従来、椀形の保安帽への取付け手段と、透明プラスチックなどからなる面体とを備えた保護面は周知である。この保護面は、飛来する粉塵等から作業者の顔面を保護するものである場合に防災面と呼ばれ、熱源から顔面を保護するものである場合に防熱面と呼ばれることがある。ところで、保護面使用者には、時にその面体から透視することなく作業をする必要性を生ずるから、例えば実開昭５７−１１６７２３号公報では、面体を保安帽の頭上へ移動可能にしてある。
【０００３】
【発明が解決しようとする課題】
前記公報の技術は、面体から後方へ延出する支腕の後端部をボルトとスプリングワッシャとによって保安帽への取付け手段に回動可能に取付け、そのボルトの締め加減によって、面体を頭上方向へ移動させたときに所要の位置で静止させることができるようにしてある。しかし、この技術では面体の移動を反復しているうちにボルトがゆるみ、静止させたつもりの面体が作業中にずり落ちてくるという不都合な問題を生じることがある。
【０００４】
そこで、この発明は、面体と一体の歯車を保安帽への取付け手段に設けた咬合手段に係合させて面体を所要位置で静止可能にすることにより前記問題を解決することを課題にしている。
【０００５】
【課題を解決するための手段】
この発明が前記課題を解決するために手段とするところは、以下のとおりである。
【０００６】
この発明においては、保安帽着用者の顔面を覆うための面体と、この面体の両側から後方へ延出する支腕と、この支腕をその後端部において回動可能に軸支し保安帽下縁部をその内外面から挟持可能な取付け手段とからなる保安帽用の保護面を前提にしている。
【０００７】
かかる前提において、取付け手段に互いに対向する内外壁を設け、その外壁に外側から締付けボルトを螺挿して内壁と前記ボルトとによって前記保安帽を挟持可能につくり、そのボルトと同一軸心で回動する歯車部を支腕に設け、前記歯車部を前記外壁の外側に接合したハウジングの内側に納めて前記ハウジングにその内側から摺動可能に接するようにするとともに、前記締付けボルトを前記ハウジングの外側に延出させ、かつ前記歯車部を前記取付け手段側のバネ付勢下の咬合手段に係合させることにより、歯車部のピッチに対応して開閉する面体をそのピッチ毎に静止可能にしてあることがこの発明の特徴である。
【０００８】
この発明の好ましい実施態様においては、支腕を前記ボルトで回動可能に軸支する。また、歯車部を咬合手段とともに被覆保護する。さらにはまた、歯車部に支腕の所要方向へ向けての取付けを可能にする位置決め手段を併設する。
【０００９】
【作用】
このように構成した保護面においては、面体の開閉に伴い支腕に設けた歯車部が回動する。歯車部は、バネ付勢下の咬合手段に係合し、その山または谷のピッチに応じて開閉する面体をピッチ毎に静止させることができる。
【００１０】
【実施例】
この発明に係る保護面の詳細を添付の図を参照して説明すると、以下のとおりである。
【００１１】
図１は、保安帽５に取付けた保護面６の斜視図である。保護面６は、透明プラスチックからなる面体７と、面体７の上縁部にビス８で取付けたプラスチックまたはアルミニウムなどの軽量金属からなる帯状部材９と、保安帽５の下縁部への取付け部材１０とからなる。保安帽５は、プラスチックからなる椀形のものであって、両側にあごひもを有するが、その図示は省略してある。
【００１２】
保護面６において、帯状部材９は、面体７に当接してその剛性を高める補強部１１と、面体７の側縁から後方へ延出する支腕部１２とを有し、支腕部１２の後端部は取付け部材１０の締付けボルト１３に回動可能に軸支されている。かかる軸支により、図においてほぼ垂直な状態にある面体７は、仮想線７Ａ，７Ｂで示すように保安帽５の頭上方向へ４５°単位で開いて静止し、また、その逆方向へ閉じることができる。その開閉機構の詳細は後記のとおりである。
【００１３】
図２は、図１の２−２線矢視図の要部を示すものであって、特に取付け部材１０と支腕部１２の詳細を示し、保安帽５は仮想線で示してある。
【００１４】
取付け部材１０は、Ｕ字金具１５と、締付けボルト１３と、ハウジング１７とからなり、Ｕ字金具１５は、保安帽５を挟んで互いに対向する内外壁１８，１９とそれら両壁１８，１９間に延在する底壁２３とを有し、外壁１９にはネジ孔２０を有する。ボルト１３は、ネジ孔２０に螺挿してあり、外端に操作つまみ２１、内端に周方向へ回動自在に嵌着した押圧子２２を有する。かかるＵ字金具１５のＵ字溝に保安帽５の下縁部を挿入し、ボルト１３を締めると、内壁１８と押圧子２２とで保安帽５を挟持して、保護面６を保安帽５に取付けることができる。ハウジング１７は、図において逆コの字型のプラスチックまたは金属製の部材であって、外壁１９の外側にあり、図示はしないがボルト、接着剤、溶接など適宜の接合手段で外壁１９に着脱可能または不能に接合してある。ハウジング１７の下部には周壁２５Ａの一部と間仕切り２６とで画成する小室２７があって、そこには板バネ２８を納めてある。
【００１５】
支腕部１２は、その端部に歯車部材３０が一体的に取付けてあり、ボルト１３と同一の軸心で回動する。その歯車部材３０は、径の中心に透孔３１を有し、外周に内端から外端方向へ順に並ぶ歯車部３２、円柱部３３、角柱部３４を有する。透孔３１にはボルト１３を回動可能に挿通し、角柱部３４を支腕部１２の端部に設けた角孔３５へ回動不能に挿通するとともに、その外端部に抜け止め用のＥリング３７を嵌めてある（図１を併せて参照）。歯車部３２は、ハウジング１７の内側にあって板バネ２８と咬合し、円柱部３３は、ハウジング１７の側壁２５Ｂに設けてあって、Ｕ字金具１５のネジ孔２０と軸心を同じくする透孔３９へ回動可能に挿通してある。歯車部３２の側面３２Ａは、ハウジング１７の側壁２５Ｂに内側から摺動可能に接しており、歯車部材３０は、透孔３９から抜脱することがない。かかる支腕部１２は、歯車部材３０がボルト１３に摺接するか、ボルト１３ではなくて透孔３９の周壁に摺接して回動するようにできるが、図においてはボルト１３に摺接した状態にある。いずれの摺接の場合にも、支腕部１２は、ボルト１３と同一の軸心の周りを回動するが、ボルト１３に摺接するときには、それにまわす力が作用しないように歯車部材３０の挿通をゆるめにする。
【００１６】
図３は、図２の３−３線矢視図の要部であって、（ａ）は面体７が閉じているとき、（ｂ）は面体７が４５°開いているときの歯車部３２と板バネ２８の位置関係を示す。ただし、図において、面体７の図示を省略して支腕部１２のみを仮想線で示し、また、ハウジング１７はその内部の状態を示してある。図の（ａ）において、板バネ２８は、左右対称の山型をなし、その頂部２８Ａは、歯車部３２との咬合部であって間仕切り２６のスリット２６Ａから出て歯車部３２に係合している。歯車部３２は、４５°ずつのピッチで配した山３２Ａと谷３２Ｂとを有し、谷３２Ｂの形状は板バネ２８の頂部２８Ａのそれにほぼ合致するから、面体７は、図のようにそれを閉じると頂部２８Ａが谷３２Ｂと咬合して静止し、簡単に開くことがない。しかし板バネ２８に抗して面体７を頭上方向へ移動すると、山３２Ａは、（ｂ）に示すように板バネ２８を押圧したのち隣接する谷３２Ｂと咬合し、面体７は、４５°開いた状態で静止する。なお、面体７は、さらに４５°開いて静止するが、それ以上になると、保安帽５の頂部に当接して止まるか、または保護面６において適宜採用することができる図示しないストッパー手段が作用して止まる。また、図１のごとく、面体７が閉じた状態にあるときに強い力が作用してもさらに下がることがないようにするためのストッパー手段を設けることもできる。それらストッパー手段として、例えば帯状部材９の一部を保安帽５に当接可能にしたり、歯車部３２の一部を特に大径にして板バネ２８の頂部２８Ａが該部を通過できないようにしたりすることができる。谷３２Ｂは、所要のピッチで配設することができ、そのピッチは均等であることを要しない。
【００１７】
なお、面体７は、閉じたときに保安帽５のほぼ水平な下縁に対しておおむね垂直になることが好ましいものであって、図３の（ａ）のごとく、角柱部３４の端面を水平にしたときに歯車部３２の谷３２Ｂと板バネ２８の頂部２８Ａとが咬合するようにしておき、その角柱部３４に対して支腕１２を取付けると、角柱部３４で面体７の保安帽５に対する取付け角度を規制することができる。また、支腕１２は、ボルト１３と異なる軸心の周りを回動してもよいものであるが、ボルト１３と軸心を同じくすることによって取付け部材１０を小型化することが容易になる。
【００１８】
【発明の効果】
この発明に係る保護面は、開閉する面体を歯車部とこれに咬合するバネ手段とによって静止可能にしてあり、保護面を取付けるためのボルトはゆるやかに摺動するか、または、全く摺動しないようにしたから、開閉を繰り返してもボルトは緩むことがなく、また開閉に要する力は、バネ手段により常に一定しているから開閉操作が円滑になる。
【００１９】
支腕を前記ボルトで回動可能に軸支したから、取付け部材の小型化が容易になる。
【００２０】
歯車部とバネ手段とはハウジングで被覆してあるから、塵埃の多い作業場で保護面を使用しても歯車部に塵埃を咬み込むことがなく、面体の円滑な開閉を維持することが容易になる。
【００２１】
歯車部材の外端部に角柱部分を設けたから、その部分を位置決め手段として利用すると、保安帽に対して面体を垂直に取付けることが容易になる。
【図面の簡単な説明】
【図１】保安帽に取り付けた保護面の斜視図。
【図２】図１の２−２線矢視図の要部。
【図３】図２の３−３線矢視図の要部であって、（ａ）は面体が閉じた状態、（ｂ）は面体がやや開いた状態を示す。
【符号の説明】
５    保安帽
６    保護面
７    面体
１０    取付け手段（取付け部材）
１２    支腕（支腕部）
１３    締付けボルト
１８    内壁
１９    外壁
２８    咬合手段（板バネ）
３２    歯車部
３４    位置決め手段（角柱部）
【図１】
0003616653.tif 000002
【図２】
0003616653.tif 000003
【図３】
0003616653.tif 000004